(57)【要約】【課題】ノック式ペンにおける作用部の指掛部を大きく形成した場合においても、押下操作時に作用部が脱落するおそれのないノック式ペンを提供することを課題とする。【解決手段】ノック３の押下操作によって芯２を選択的に出没させるタイプのペンであって、ノック３は下端に芯２が嵌め付けられてスプリング６の作用で常時上方に付勢されるノック本体４と、軸筒１から大きく外方に張り出す指掛部７を有していてノック本体４に組み付けられる作用部５とから成り、ノック本体４に対する作用部５の組み付けは、上面端縁に立上がり部９を備えた嵌合部８をノック本体４に形成される係合用開口１１に嵌合することによって行われ、その嵌合時において立上り部９が係合用開口１１の内面側上縁部１２に引っ掛かるように構成する。【選択図】図１
2010012743.tif 000002
【特許請求の範囲】
【請求項１】
ノックの押下操作によって芯を選択的に出没させるタイプのペンであって、前記ノックは下端に芯が嵌め付けられてスプリングの作用で常時上方に付勢されるノック本体と、軸筒から大きく外方に張り出す指掛部を有していて前記ノック本体に組み付けられる作用部とから成り、前記ノック本体に対する作用部の組み付けは、前記作用部の内側面に設けられる嵌合部を前記ノック本体に形成される係合用開口に嵌合することによって行われ、前記嵌合部の上面端縁には立上り部が形成されていて、前記係合用開口への嵌合時において前記立上り部が前記係合用開口の内面側上縁部に引っ掛かることを特徴とするノック式ペン。
【請求項２】
前記作用部の内側面に突起が形成されると共に、前記ノック本体に前記突起が嵌入する保持孔が形成された、請求項１に記載のノック式ペン。
【請求項３】
前記作用部の指掛部が、動物やキャラクター等の耳や目に見立てた形状に形成された、請求項１又は２に記載のノック式ペン。
【請求項４】
前記軸筒の指掛部側の端部に、前記動物やキャラクター等の耳や目に対応する顔部が表現された、請求項３に記載のノック式ペン。
【請求項５】
前記軸筒の取り外し可能な先端部に嵌装される中軸部を設け、この中軸部に、作用部及び軸筒の端部に表現された動物やキャラクター等に対応する胴部又は被服を表現した、請求項３又は４に記載のノック式ペン。
【請求項６】
前記中軸部における胴部と前記耳、目又は顔との位置合わせを容易にするために、前記中軸部の上端にローレットを形成し、前記軸筒における前記ローレット当接部に、前記ローレットに係合するストッパーを設けた、請求項５に記載のノック式ペン。
【発明の詳細な説明】
【技術分野】
【０００１】
本発明はノック式ペン、より詳細には、一部（指掛部）が軸筒上側部から突出するノックを操作することによって、所望の色の芯を軸筒先端から出没させるタイプのノック式ペンに関するものである。
【背景技術】
【０００２】
上記タイプのノック式ペン（例えば、黒と赤の２色ボールペン）は、種々のデザインにて広く出回っている。そこにおけるノックは、下端に芯３４が嵌め付けられ、芯３４上部に巻装された押上スプリングによって常時上方に付勢されるノック本体３１と、ノック本体３１の上部に組み付けられる作用部３２とから成る（図７、８参照）。作用部３２のノック本体３１に対する組み付けは、単に、作用部３２の内側面に形成される嵌合部３５をノック本体３１に形成される係合用開口３６に嵌合することによって行われる。その際、嵌合部３５の先端部両側に形成されている引掛部３７が、係合用開口３６の内方側両側縁に引っ掛かるようになっている。
【０００３】
作用部３２は、軸筒の上側部に縦方向に形成されるスリットから外方に突出する指掛部３３を有していて、この指掛部３３を押下することにより、ノック本体３１が押下されて芯３４を繰り出すことができるようになっている。ノックは、その押下端においてロックされて芯３４を露出状態に維持し、他方のノックが押下されることによりそのロックが解除されると、押上スプリングの作用で元の位置に復帰し、それに伴って芯３４が軸筒内に引き込まれるようになっている。
【０００４】
従来のノックの場合、その作用部３２の軸筒上側面から突出する指掛部３３は、軸筒上部のスリットから少し突出するだけで（図８における仮想線の指掛部３３a参照）、指先から指掛部３３aにかかる力は斜め内方向に向かうものとなるため、ノック本体３１と作用部３２との係合関係は上記のとおりで何ら問題はなかった。
【０００５】
上記機構のノック式ペンにおいて、本出願人は、一対の指掛部３３を大きくして動物やキャラクター等の耳やカエルの目等に見立て、軸筒の上端部に当該動物やキャラクター等の顔をあしらったデザインの製品を企画した（図７、８参照）。
【０００６】
しかし、このように指掛部３３を外方に張り出すように大きく形成した場合、指先から指掛部３３にかかる力は、特に押下端において外方向にかかることとなり（図８参照）、その結果、引掛部３７があるにも関わらず、嵌合部３５が係合用開口３６から外れ、作用部３３が軸筒のスリットから脱落しやすくなることが分かった。
【０００７】
【特許文献１】特開２００１−３１０５９２号公報
【特許文献２】特開２０００−２３３５９６号公報
【特許文献３】特開平５−２４６１９１号公報
【特許文献４】実用新案登録第３０４９６６６号公報
【発明の開示】
【発明が解決しようとする課題】
【０００８】
上述したように、ノック式ペンにおいて作用部の指掛部を外方に張り出すように大きく形成した場合、指先から指掛部にかかる力が斜め外方向にかかることで作用部が外れ、軸筒のスリットから脱落しやすくなるという問題があった。そこで本発明は、ノック式ペンにおける作用部の指掛部を大きく形成した場合においても、押下操作時に指掛部に斜め外方向の力が加わることによって作用部が脱落するおそれのないノック式ペンを提供することを課題とする。
【課題を解決するための手段】
【０００９】
上記課題を解決するための請求項１に記載の発明は、ノックの押下操作によって芯を選択的に出没させるタイプのペンであって、前記ノックは下端に芯が嵌め付けられてスプリングの作用で常時上方に付勢されるノック本体と、軸筒から大きく外方に張り出す指掛部を有していて前記ノック本体に組み付けられる作用部とから成り、前記ノック本体に対する作用部の組み付けは、前記作用部の内側面に設けられる嵌合部を前記ノック本体に形成される係合用開口に嵌合することによって行われ、前記嵌合部の上面端縁には立上り部が形成されていて、前記係合用開口への嵌合時において前記立上り部が前記係合用開口の内面側上縁部に引っ掛かることを特徴とするノック式ペンである。
【００１０】
好ましくは更に、前記作用部の内側面に突起が形成されると共に、前記ノック本体に前記突起が嵌入する保持孔が形成される。また、前記作用部の指掛部が、動物やキャラクター等の耳や目に見立てた形状に形成されると共に、前記軸筒の指掛部側の端部に、前記動物やキャラクター等の耳や目に対応する顔部が表現される。
【００１１】
また、前記軸筒の取り外し可能な先端部に嵌装される中軸部を設け、この中軸部に、作用部及び軸筒の端部に表現された動物やキャラクター等に対応する胴部又は被服を表現することもある。その場合、前記中軸部における胴部と前記耳、目又は顔との位置合わせを容易にするために、前記中軸部の上端にローレットを形成し、前記軸筒における前記ローレット当接部に、前記ローレットに係合するストッパーを設けることが好ましい。
【発明の効果】
【００１２】
本発明は上述したとおりであって、ノック本体に対する作用部の組み付けは、上面端縁に立上り部を備えた嵌合部を前記ノック本体に形成される係合用開口に嵌合することによって行われ、その嵌合時において前記立上り部が前記係合用開口の内方側上縁部に引っ掛かるため、軸筒から大きく外方に張り出す指掛部に対して斜め外方向の押下力が加わっても、嵌合部が係合用開口から抜けて作用部がノック本体から外れて脱落するおそれがないという効果がある。
【００１３】
また、請求項３又は４に係る発明においては、指掛部が動物やキャラクターの耳や目に見立てた大きな形状とされ、更に軸筒の指掛部側の端部に当該動物やキャラクターの顔が表現されることで、端部に動物やキャラクターの頭部を備えた、趣向性及び変化に富んだノック式ペンとすることができ、単なる筆記目的としてだけでなく、ファンション的要素を持った興趣的アイテムとして広く受け入れられる効果がある。
【００１４】
更に、請求項５に係る発明においては、前記中軸部に前記動物やキャラクター等に対応する胴部又は被服が表現されるため、胴部全体で動物やキャラクター等を表現することが可能となって一層趣向性及び変化に富んだものとなり、また、その場合、前記中軸部の上端にローレットが形成されると共にそれに係合するストッパーが前記軸筒における前記ローレット当接部に設けられることで、前記中軸部における胴部と前記耳、目又は顔との位置合わせが容易となる効果がある。
【発明を実施するための最良の形態】
【００１５】
本発明を実施するための最良の形態について、添付図面に依拠して説明する。図示した本発明に係るノック式ペンは、色の異なる２本の芯２のうちの１本を選択して出没させるものであって、一般のものと同様に、軸筒１と、軸筒１の先端から出没する２種類の芯２と、芯２の繰出し操作をする一対のノック３とを備えて成り、また、各ノック３は、ノック本体４に作用部５を組み付けて構成される。
【００１６】
ノック本体４の下端部は従来のものと同様に細径の嵌付部４ａとされ、そこに、芯２が嵌め付けられ、また、ノック本体４は、芯２の上端部に巻装された押上スプリング６の作用で、常時上方に付勢されるように支持される。
【００１７】
作用部５はその上端に、大きく、且つ、外方に張り出す指掛部７を有する。一例として指掛部７は、動物やキャラクター等の耳や目に見立てた大きな形状とされ、左右一対の指掛部７にて耳や目が表わされるようにされる。そして、軸筒１の端部に当該動物やキャラクター等の顔を表現することにより、端部に動物やキャラクター等の頭部を備えた、趣向性に富んだ形状のノック式ペンとすることができる。
【００１８】
そして更に、軸筒１の取り外し可能な先端部１５に嵌装される中軸部１６を設け、この中軸部１５に作用部５及び軸筒１の端部に表現された動物やキャラクター等に対応する胴部又は被服を表現することもある（図６参照）。その場合、中軸部１６における胴部又は被服と作用部５及び軸筒１の端部における耳、目又は顔との位置合わせを容易にするために、中軸部１６の上端にローレット１７を形成し、軸筒１の下端内側部のローレット当接部に、ローレット１７に係合するストッパー１８を設けることが好ましい。
【００１９】
かかる構成の一対のノック３は、芯２を備えた状態で従来のものと同様にして軸筒１内に組み込まれ、その状態において作用部５が、軸筒１の上側部に形成されたスリット１４に沿って上下動可能となる。このノック３の押下げによる芯２の出没操作やノック３のロック機構は、一般のものと変わりはないので、詳細な説明を省略する。
【００２０】
作用部５はその内側面に、従来のものと同様に、ノック本体４に形成される係合用開口１１内に嵌装される嵌合部８を有するが、この嵌合部８の上面端部に掛止用立上り部９が形成される。この立上り部９は嵌合部８を係合用開口１１内に嵌装した際に、係合用開口１１の上縁部１２に引っ掛かるもので、それにより、嵌合部８の係合用開口１１からの抜けが防止されることになる。
【００２１】
また、作用部５の内側面上部に突起１０が突設され、ノック本体４の対応面に突起１０が嵌入する支持孔１３が穿設される。突起１０は、嵌合部８を係合用開口１１内に嵌装した際に支持孔１３内に嵌入してそこに保持されることで、作用部５とノック本体４との一体性を増進させ、同時に、嵌合部８の係合用開口１１からの抜け防止に寄与する。なお、嵌合部８は、図２、３に示すようなブロック体であってもよいし、図６に示すような枠を対設したものであってもよい。
【００２２】
かかる構成の本発明に係るノック式ペンは、指掛部７が動物やキャラクター等の耳や目に見立てた大きな形状とされ、また、軸筒１の端部に当該動物やキャラクター等の顔が表現され、更には、中軸部１５に当該動物やキャラクター等の胴部が表現されて構成されるため、趣向性及び変化に富んだものとして、単なる筆記目的としてだけでなく、一種のファンショングッズとして受け入れられるものである。
【００２３】
本ノック式ペンの使用方法は、基本的に一般のものと変わりはなく、作用部３２は、軸筒の上側部に縦方向に形成されるスリット１４から外方に大きく張り出す指掛部７の一方を押下することにより、当該側のノック本体４が押下されて当該側の芯２を繰り出すことができる。そして、ノック３は、その押下端においてロックされ、他方のノック３が押下されるまでその芯２の露出状態を維持し、他方のノックが押下されてロックが外されると、押上スプリング６の作用で元の位置に復帰し、それに伴って芯２が軸筒１内に引き込まれる。
【００２４】
本発明における作用部５の指掛部７は外方に大きく張り出しているため、その押下操作に際して斜め外方向の力が加わる。しかるに、作用部５は、その嵌合部８が係合用開口１１内に比較的密に係合しているだけでなく、押下操作に伴って傾倒しようとすると、嵌合部８の立上り部９が係合用開口１１の内面側上縁部１２に一層強く引っ掛かることになるため、嵌合部８が係合用開口１１から抜けることがなくなり、作用部５がノック本体４から外れて脱落するおそれもなくなる。
【００２５】
また、突起１０が嵌入孔１３内に嵌入していることにより、作用部５とノック本体４の結合関係が一層強固なものとなり、指掛部７に大きな力が加わっても、作用部５の脱落が確実に阻止される。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２７】
【図１】本発明の一実施形態の外観及び要部の断面を示す図である。
【図２】本発明の一実施形態のノックの構成を内方側から示す分解斜視図である。
【図３】本発明の一実施形態のノックの構成を外方側から示す分解斜視図である。
【図４】本発明の一実施形態のノックの構成を示す側面図である。
【図５】本発明の一実施形態のノックの構成を示す縦断面図である。
【図６】本発明の他の実施形態の構成を示す分解図である。
【図７】従来のノックの構成を内方側から示す分解斜視図である。
【図８】従来のノックの問題点を説明するための側面図である。
【符号の説明】
【００２８】
１    軸筒
２    芯
３    ノック
４    ノック本体
５    作用部
６    押上スプリング
７    指掛部
８    嵌合部
９    立上り部
１０    突起
１１    係合用開口
１２    内方側上縁部
１３    嵌入孔
１４    スリット
１５    中軸部
１６    ローレット
１７    ストッパー
【図１】
2010012743.tif 000003
【図２】
2010012743.tif 000004
【図３】
2010012743.tif 000005
【図４】
2010012743.tif 000006
【図５】
2010012743.tif 000007
【図６】
2010012743.tif 000008
【図７】
2010012743.tif 000009
【図８】
2010012743.tif 000010